(57)【要約】【課題】  道路やその埋設施設の新設、補修、改修工事、又は市街地での建築物等の新設、補修、改修工事等々の工事現場等で、関係者外の立入りを規制し、また、注意を喚起すること等を狙って特定の周辺区域に設置されるバリケード装置における、特に緑化されたバリケード装置を提供することを課題とする。【解決手段】  左右両側方に脚部を有し、同両脚部を頂部側又は下部側の少なくとも何れか一方で幅方向に延びる横バーにより連結して構成され、工事現場等の立入り規制等のためにその周辺区域に立設可能とした可搬式のバリケード装置において、緑化植物を植え付けたプランター又はポット等の植栽容器を取り付けて緑化したバリケード装置を得た。【選択図】            図１
2008025131.tif 000002
【特許請求の範囲】
【請求項１】
正面から見て左右両側方に脚部を有すると共に、同左右の両脚部を頂部側又は下部側の少なくとも何れか一方で幅方向に延びる横バーにより連結して構成され、工事現場等の立入り規制等のためにその周辺区域に立設可能とした可搬式のバリケード装置において、緑化植物を植え付けたプランター又はポット等の植栽容器を取り付けて緑化したことを特徴とするバリケード装置。
【請求項２】
前記左右両側方の脚部のそれぞれは、頂部を互いに枢着連結されると共に、下側寄りを鎖、紐状部材又は折り畳み可能の補助バー等の接続部材で連結された２本の脚材を有し、同２本の脚材が前記頂部を枢支点にして下端側を開いたとき、側面から見て前記接続部材と２本の脚材でＡ字形状となるＡ型バリケードの脚部として構成したことを特徴とする請求項１に記載のバリケード装置。
【請求項３】
前記植栽容器は、前記下部側に設けられて前記左右の脚部を連結する横バーに取付けたことを特徴とする請求項１、又は２に記載のバリケード装置。
【請求項４】
前記植栽容器は、緑化基板を介して取付けたことを特徴とする請求項１、又は２に記載のバリケード装置。
【請求項５】
前記緑化基板は、前記頂部側に設けられて前記左右の脚部を連結する横バーに吊り下げて取付けたことを特徴とする請求項４に記載のバリケード装置。
【請求項６】
前記緑化基板は、前記左右の両脚部に取付けたことを特徴とする請求項４に記載のバリケード装置。
【請求項７】
前記緑化基板は、木製、金属製、プラスチック製、合成材製の板状体又は格子状部材、若しくは不織布で構成したことを特徴とする請求項４乃至６の何れかに記載のバリケード装置。
【請求項８】
前記緑化植物を植え付けたプランター又はポット等の植栽容器に代えて、緑化植物を植え付けた緑化基板を取付けたことを特徴とする請求項１に記載のバリケード装置。
【発明の詳細な説明】
【技術分野】
【０００１】
本発明は、道路やその埋設施設の新設、補修、改修工事、又は市街地での建築物等の新設、補修、改修工事等々の工事現場等で、関係者外の立入りを規制し、また、注意を喚起すること等を狙って特定の周辺区域に設置されるバリケード装置に係り、特に緑化されたバリケード装置に関するものである。
【背景技術】
【０００２】
科学技術の進歩、発展は、一般市民の生活環境のみならず、農業、工業等の全産業を含めて生産拠点となる産業環境の改善に寄与してきたが、反面その代償として、温暖化現象やヒートアイランド現象等として議論されているように、自然破壊と共に公害問題や環境汚染問題として市民生活を脅かすようになって来ている。
【０００３】
これらの問題に対する対応策の一環として、特に温暖化現象やヒートアイランド現象等を始めとする住環境問題への対応として、行政からの支援、指導が強化されたことを始めとし、一般市民によるコミュニティ問題として関心が高まったこともあって、都市部、地方部を問わず住環境の緑化計画等が導入されるようになって来ている。
【０００４】
これらの結果、家屋の屋上をはじめとして、同家屋の壁面、そして家屋に付随する塀の表面等々の緑化については、行政指導を含めて緑化基準が強化されたことに伴い、当該緑化技術の進歩とともに環境緑化の実現が加速的に普及する趨勢にある。
【０００５】
更に特筆すべき点は、前記行政主導の対応のうち、景観法の整備、強化が大幅に進展したことであり、緑化の対象は家屋に止まらず、例えば市街地等の工事現場において、雑然とした情景の目隠しと、一般の通行者の安全確保等のために工事区域を囲んで設置される仮囲いを対象とし、同仮囲いの緑化、及び同仮囲いの広告塔としての活用等につき、その活用形態を含めて注目度、及び関心が、一段と高くなっていることが挙げられる。
【０００６】
すなわち、複数の仮囲いで形成される壁面に対して緑化植物を植栽したプランター等を取り付け、又は同仮囲いの壁面に緑化植物を植生したマット状の部材を取り付けると共に広告宣伝物を掲示し、又は取り付け、これらのコンビネーションにより環境の緑化とその周辺との調和を図った上で、環境の緑化と広告宣伝物の好感度の向上を図る手法の開発、並びにその実施が注目を浴びるようになっている。
【特許文献１】特開平６−２５３６８４号公報（図１：建物の壁面１５に植生パレット２を取り付け、壁面１５の緑化を図った。）
【特許文献２】特開２００５−６８８００号公報（図１：建物の屋根１２に緑化植物の植栽層１４等を設置して屋上の緑化を図った。）
【発明の開示】
【発明が解決しようとする課題】
【０００７】
上記のように住環境の緑化計画の一環としての家屋の屋上、壁や塀等の壁面の緑化、更に工事現場の仮囲いの緑化は着実に進展し、地球環境の正常化へ向かっての小さいながらも確実な一歩として貢献している。
【０００８】
ここで家屋の屋上、壁や塀等の壁面を恒久的な建造物とすると、仮囲いは工事期間という限られた期間に設置される一時的な建造物となるが、同仮囲いは数カ月〜数年間程度の限られた期間というものの所定の位置に固定的に設置されているので、緑化設備の基本的な構成、同緑化設備のメインテナンスを行う緑化システム等については両者ほぼ共通しており、緑化対象建造物が恒久的又は一時的という差異で、緑化システムの構築、運用等に差異をもたらすことは殆ど無い。
【０００９】
他方、仮囲いを設置するほど長期の工事ではなく、短い場合では数時間、長くても数日間の工期となる道路や道路埋設物の補修工事のような工事現場では、大きさも手頃で持ち運び、取扱が容易な可搬式のバリケード装置が日常茶飯的に使用されている。
【００１０】
すなわち、所定の位置に設置したとき、横から見てＡ字形状の脚部を有することから、「Ａ型バリケード」と通称されるものや、正面から見てコ字形に折曲げたパイプ部材で形成された「パイプバリケード」と通称されるバリケード装置が通行人の安全を守り、立入り区域を規制することを目的として多用されているが、これらのバリケード装置は単純に立設されるのが一般的であり、また、中には人が接触した程度では簡単に動かないように砂袋や、水を入れたペットボトルや、廃物状のコンクリートブロック等により脚押えをしているものも有るが、安全を守るための器具装置でありながら、風景、風貌上その任も疑わしい光景であり、しかも周辺の風景に対する美観上好ましくないものが多い。
【００１１】
本発明はこのような状況に鑑みてなされたもので、上記Ａ型バリケード、パイプバリケードを含むこれら可搬式のバリケード装置を対象として、同バリケード装置に緑化植物を植え付けたプランター等の植栽容器を取り付けることにより、同バリケード装置を緑化して殺風景のバリケード設置区域の環境美化を図り、かつ、上記植栽容器の重量をバリケード装置の位置決め用重りとして利用して、同バリケード装置設置の安全性、安定性を高め、景観法の立法思想に叶った好適なバリケード装置を提供することを課題とするものである。
【課題を解決するための手段】
【００１２】
本発明は前記した課題を解決すべくなされたもので、請求項１〜８に記載の各発明に対応させて以下に第１〜第８の手段に区分して説明すると、
本発明はその第１の手段として、
正面から見て左右両側方に脚部を有すると共に、同左右の両脚部を頂部側又は下部側の少なくとも何れか一方で幅方向に延びる横バーにより連結して構成され、工事現場等の立入り規制等のためにその周辺区域に立設可能とした可搬式のバリケード装置において、緑化植物を植え付けたプランター又はポット等の植栽容器を取り付けて緑化したことを特徴とするバリケード装置、を提供するものである。
【００１３】
また、本発明は第２の手段として、
前記第１の手段において、前記左右両側方の脚部のそれぞれは、頂部を互いに枢着連結されると共に、下側寄りを鎖、紐状部材又は折り畳み可能の補助バー等の接続部材で連結された２本の脚材を有し、同２本の脚材が前記頂部を枢支点にして下端側を開いたとき、側面から見て前記接続部材と２本の脚材でＡ字形状となるＡ型バリケードの脚部として構成したことを特徴とするバリケード装置、を提供するものである。
【００１４】
また本発明は第３の手段として、
前記第１、又は第２の手段において、前記植栽容器は、前記下部側に設けられて前記左右の脚部を連結する横バーに取付けたことを特徴とするバリケード装置、を提供するものである。
【００１５】
また本発明は第４の手段として、
前記第１又は第２の手段において、前記植栽容器は、緑化基板を介して取付けたことを特徴とするバリケード装置、を提供するものである。
【００１６】
また本発明は第５の手段として、
前記第４の手段において、前記緑化基板は、前記頂部側に設けられて前記左右の脚部を連結する横バーに吊り下げて取付けたことを特徴とするバリケード装置、を提供するものである。
【００１７】
また本発明は第６の手段として、
前記第４の手段において、前記緑化基板は、前記左右の両脚部に取付けたことを特徴とするバリケード装置、を提供するものである。
【００１８】
また本発明は第７の手段として、
前記第４乃至第６の手段の何れかにおいて、前記緑化基板は、木製、金属製、プラスチック製、合成材製の板状体又は格子状部材、若しくは不織布で構成したことを特徴とするバリケード装置、を提供するものである。
【００１９】
そしてまた本発明は第８の手段として、
前記第１の手段において、前記緑化植物を植え付けたプランター又はポット等の植栽容器に代えて、緑化植物を植え付けた緑化基板を取付けたことを特徴とするバリケード装置、を提供するものである。
【発明の効果】
【００２０】
すなわち、本出願の請求項１に記載の発明によれば、正面から見て左右両側方に脚部を有すると共に、同左右の両脚部を頂部側又は下部側の少なくとも何れか一方で幅方向に延びる横バーにより連結して構成され、工事現場等の立入り規制等のためにその周辺区域に立設可能とした可搬式のバリケード装置において、緑化植物を植え付けたプランター又はポット等の植栽容器を取り付けて緑化してバリケード装置を構成しているので、工事現場等の周辺に搬入されて立設されたバリケード装置は、緑化植物を植え付けたプランター又はポット等の植栽容器が取り付けられたことにより、同バリケード装置自身が緑化され、殺伐とした工事現場の雰囲気を緑に囲まれた空間に変えて周辺環境を改善し、臨時の建造物又は商業広告等により周辺の景観が悪化しないように配慮した景観法の規制に対しても問題なくクリヤーし、同景観法の趣旨を充足した上、エコロジーに適合した空間の形成を可能とするものである。
【００２１】
しかもここで取り付けられた植栽容器は、植栽した緑化植物自身及び植栽土壌等の重量をバリケード装置に加重するので、立設されたバリケード装置は一段と安定して立設状態を維持し、強風が吹いたり、歩行者等が間違って接触しても倒れる危険性は大幅に減少し、バリケード装置本来のバリケード機能を安定、確実に発揮することができるものである。
【００２２】
また、本出願の請求項２に記載の発明によれば、前記請求項１に記載の発明において、前記左右両側方の脚部のそれぞれは、頂部を互いに枢着連結されると共に、下側寄りを鎖、紐状部材又は折り畳み可能の補助バー等の接続部材で連結された２本の脚材を有し、同２本の脚材が前記頂部を枢支点にして下端側を開いたとき、側面から見て前記接続部材と２本の脚材でＡ字形状となるＡ型バリケードの脚部として構成してバリケード装置を構成しているので、この種バリケード装置として極めてポピュラーで最も普及しているＡ型バリケードを基本にしてバリケード装置の緑化を図り、周辺環境の改善を図るようにしたものである。
【００２３】
また、本出願の請求項３に記載の発明によれば、前記請求項１又は２に記載の発明において、前記植栽容器は、前記下部側に設けられて前記左右の脚部を連結する横バーに取付けてバリケード装置を構成しているので、工事現場等において、例えば頂部を枢支点として正面視左右に設けた脚部を側面視左右に開いてバリケード装置を所定の位置に立設し、上記正面視左右の両脚部を連結する横バーに対して緑化植物を満載した植栽容器を取り付ければ緑化されたバリケード装置がその場で容易に完成することとなる。
【００２４】
しかも一日の工事の終了又は数日の工期の終了に際してバリケード装置を片づける際には、上記横バーに取付けた植栽容器を取り外し、例えば頂部を枢支点として開いた脚部を閉じればバリケード装置は容易に持ち運び簡単な形態に纏めることが出来、容易に片づけることが可能となる。
【００２５】
また、本出願の請求項４に記載の発明によれば、前記請求項１又は２に記載の発明において、前記植栽容器は、緑化基板を介して取付けてバリケード装置を構成しているので、同植栽容器を直接取り付ける形態に対して間接的な取り付け形態となり、ここに介在することとなる緑化基板自身の形態、又は同緑化基板が取り付けられる形態如何により、複数の形態が選択することが出来、周辺環境との調和を配慮した変形の採用、又は日替わり的な形態変更等を楽しむことが容易となり、緑化されたバリケード装置の効能を一段と高めることが出来る。
【００２６】
また、本出願の請求項５に記載の発明によれば、前記請求項４に記載の発明において、前記緑化基板は、前記頂部側に設けられて前記左右の脚部を連結する横バーに吊り下げて取付けてバリケード装置を構成しているので、この吊り下げ方式のために装置構成全体の簡素化が図れると共に、同バリケード装置を傾斜面に立設した場合でも、錘を吊り下げる場合と同様に、植栽容器を荷重として加えた緑化基板が重心位置を自動的に選択して吊り下げられることにより、緑化されたバリケード装置を安定的に立設することが出来る。
【００２７】
また、本出願の請求項６に記載の発明によれば、前記請求項４に記載の発明において、前記緑化基板は、前記左右の両脚部に取付けてバリケード装置を構成しているので、緑化植物を植栽した植栽容器を取り付けた緑化基板は、バリケード装置の基幹となる正面視左右の両脚部に取付けられることにより、全体の構成が一体物として強固なものとなり、特に平坦な設置面にバリケード装置を立設する際に安定度が向上することになる。
【００２８】
また、本出願の請求項７に記載の発明によれば、前記請求項４乃至６の何れかに記載の発明において、前記緑化基板は、木製、金属製、プラスチック製、合成材製の板状体又は格子状部材、若しくは不織布で構成してバリケード装置を構成しているので、木製、又は合成材製の板状体による緑化基板は、素材固有の雰囲気から、自然に馴染み、自然に溶け込む感覚を強くし、金属製、プラスチック製のものでは、量産を可能としてコストダウンを図り、また、これらの素材を用いて板状体でなく格子状部材として形成することにより、通風性が向上して緑化基板自体が風であおられることは無くなり、立設、設置の安定性が一段と向上し、好ましい緑化基板を得ることが出来る。
【００２９】
なお、同緑化基板を板状体又は格子状部材と異なる不織布で構成した場合には、不織布に緑化植物を植生することにより、プランターやポット等の植栽容器の取り付け部位だけでなく、緑化基板を全面的に緑化することも可能となり、緑化形態のバリエーションの増加を図ることができる。
【００３０】
そしてまた、本出願の請求項８に記載の発明によれば、前記請求項１に記載の発明において、前記緑化植物を植え付けたプランター又はポット等の植栽容器に代えて、緑化植物を植え付けた緑化基板を取付けてバリケード装置を構成しているので、このように緑化基板自体に緑化植物の植栽機能を持たせることにより、プランター又はポット等の植栽容器を省略して緑化されたバリケード装置を得ることが可能となり、コストダウンを図ることができる。
【発明を実施するための最良の形態】
【００３１】
本発明の実施の第１形態について図１、図２に基づいて説明する。
図１は本実施の形態に係るバリケード装置の正面図、図２は図１の側面図である。
【００３２】
本実施の形態において、１は脚部で正面から見て左右の両側に配置され、かつ、左右の各脚部はそれぞれが２本の脚材１ａを基材として構成されている。ここで上記脚部１を側面から見ると、図２に示すように、各頂部を枢支部２として連結し、かつ、下側寄りで補助バー３で連結され、枢支部２を頂点として各脚材１ａの下部側を左右に開いたとき、上記２本の脚材１ａと補助バー３により側面から見てＡ字形状となるように構成されている。
【００３３】
なお、上記補助バー３は２本の腕部材３ａで構成され、各腕部材３ａは互いに離れた一端を上記左右の脚材１ａにそれぞれ枢着し、近接した他端同士を相互に枢着して構成されており、上記２本の脚材１ａの下部側を左右に開くと上記２本の腕部材３ａが直線状となり、上記のように２本の脚材１ａと共にＡ字形状となるが、同脚材１ａの下部側を近寄らせて閉じると２本の腕部材３ａが各枢着部により折り畳まれるように構成されている。
【００３４】
従ってこのことは上記２本の脚材１ａの接続部材となる補助バー３は、鎖部材、又は紐状の部材で構成し、同鎖部材、又は紐状の部材が最大に緊張されたとき上記Ａ字形状を形成する構成を採用することもできる。
【００３５】
４は頂部横バー、５は下部横バーで、頂部横バー４は脚部１の頂部側、また下部横バー５は下部側で上記左右一対の脚部１を連結している。
ここで頂部横バー４は各脚部１の頂部で枢支部２を形成するように連結しているので１本の部材で足りるが、下部横バー５は文字通り下部側のため、２本の脚材１ａ毎に必要となるので２本の部材が必要となり、同１本の頂部横バー４と２本の下部横バー５により左右一対の脚部１を連結することになる。
【００３６】
６はプランターで、セダム等の緑化植物８を植え付けた植栽容器にあたり、その上端に設けたフック状の係止部６ａにより上記２本の下部横バー５に係止されている。なお、上記係止部６ａはフック状の別部材として製作し、それをプランター６に取り付けることもできるし、また、プランター６の製作時に同プランター６と一体物として形成することもできる。
【００３７】
また、同プランター６は、上記脚部１の左右の脚材１ａ下部側が一杯に開き、側面視Ａ字形状のいわゆるＡ型バリケードとして立設されたとき、上端のフック状係止部６ａが各脚材１ａに対応する下部横バー５に係止されるような長さを有し、また、このときに立設面に対峙するプランター６の外部下面が設置面との間で僅かな空間を形成するような高さを有するものであることが好ましい。
【００３８】
７は広告・標識板で、図１に示すように正面視左右に分かれて設けた一対のフック等の吊り下げ部材７ａにより上記頂部横バー４に支持されており、この広告・標識板７には工事現場等に係る情報、注意喚起事項、その他商業広告等々の情報を掲示することができる。
【００３９】
上記のように構成された本実施の形態によれば、補助バー３を折り畳んで脚部１を閉じ、コンパクトに纏めた状態で工事現場等の設置場所に搬送してきたバリケードを、予定の設置場所で補助バー３を一杯に伸ばすように脚部１を開いていわゆるＡ型バリケードとして立設し、上記下部横バー５にプランター６の係止部６ａを引っかけて係止することにより図２に完成状態を示すように、緑化されたバリケード装置が簡単、容易に出来上がる。
【００４０】
この緑化されたバリケード装置は、植栽容器のプランター６に植え付けられた緑化植物８の種類、成長程度等に応じて図１に示すように、正面視左右方向に複数個配置され、広告・標識板７及び周辺の環境とバランスを図り、環境浄化に寄与し、景観法等の趣旨にも沿うことになる。
【００４１】
また、それぞれのプランター６は緑化植物８の植え付け土壌等を含み、一定の重みを持っているので、これが荷重となってバリケード装置に作用し、同バリケード装置が風で移動されたり、通行人が接触して移動されたりすることが無いように機能している。
【００４２】
なお、上記プランター６に植え付けられる緑化植物８は、一般の屋上緑化、壁面緑化、更に仮囲いの緑化等に採用される品種と同類のものが採用され得るが、市街地等では草花を選択し周辺の雰囲気を華やかなものとすることも出来るし、また、乾燥に強いセダム類のものを選択すれば、プランター６等の植栽容器へ灌水する作業を大幅に節約することもできる。
【００４３】
そしてまた、一日又は一定期間の作業が進展、又は終了し、同バリケード装置を移動し又は撤去する時には、上記した搬入、組立設置の逆の手順をたどることとなるが、下部横バー５からプランター６の係止部６ａを外し、脚部１を閉じればバリケード装置はコンパクトに纏まるので、移動又は撤去は簡単に行うことが出来る。
【００４４】
なおまた、ここでは１個のバリケード装置について記述したが、工事現場の規模、形態に応じて複数のバリケード装置が適宜の形態を選択して配置、配設されることは勿論であり、また、設置場所も工事現場に限定されず、各種イベント会場、レクレーション広場等々への適用を含めて良いことは勿論である。
【００４５】
次に本発明の実施の第２形態について図３、図４に基づいて説明する。
図３は本実施の形態に係るバリケード装置の正面図、図４は図３の側面図である。
【００４６】
本実施の形態は前記実施の第１形態が、植栽容器としてプランター６を用い、同プランター６を下部横バー５に吊り下げ式に取り付けたものであったのに対し、同プランター６の取り付け位置を変えたものであり、基板となるバリケート装置自体には実質的に変更がないので、この変更部分につき重点的に説明し、前記実施の第１形態と同一部分については図面中に前記実施の第１形態と同一の符号を付して示し、前記実施の第１形態の説明を援用することにより重複する説明は省略する。
【００４７】
すなわち本実施の形態によれば、格子状に組立て一方の面から他方の面へ通風空間を十分に確保した緑化基板１０を設け、同緑化基板１０を頂部横バー４に対して吊り下げ部材１０ａで吊り下げ、この緑化基板１０に緑化植物８を植え付けたプランター６を取り付けたものである。
【００４８】
なお、上記緑化基板１０に対するプランター６の取り付けは、図示省略しているがプランター６の適宜の位置に同プランター６と一体的、又は別体として係止部６ａを設け、これを緑化基板１０の格子に引っかけて取り付けるようにしている。
【００４９】
従って本実施の形態によれば、バリケードの設置に際しては、前記実施の第１形態と同様に所定位置に搬入したバリケードを脚部１を開いて設置し、いわゆるＡ型バリケード装置を形成し、同バリケード装置の頂部横バー４に吊り下げ部材１０ａを用いて緑化基板１０を取り付け、更にこの緑化基板１０の格子に緑化植物８を植え付けたプランター６を取り付ければ、これにて緑化されたバリケード装置が簡単、容易に完成することになる。
【００５０】
かくして本実施の形態によれば、ごく簡単な構成で、格別難しい組立工作等も必要とせず、所望の場所を緑化状態に変更することが出来ることになるが、ここで特筆すべき点は、現在使用に供されている既存のバリケード装置をそのまま緑化されたバリケード装置として直ぐに転用出来ることである。
【００５１】
すなわち、既存のバリケード装置は、殆どのものが広告・標識板７の吊り下げ部材を保有しているので、これを本実施の形態の吊り下げ部材１０ａとして利用し、緑化基板１０を吊り下げ、これにプランター６を取り付け緑化されたバリケード装置を完成すれば良い。
【００５２】
なお、ここで緑化基板１０を格子状の部材として説明したが、格子状の緑化基板１０は格子の目を通して通風を容易にすることにより、風の強い日でもバリケード装置の安定性を確保する効果がある。
【００５３】
他方、多少の空気抵抗の増加はあるが、同緑化基板１０は板状体で形成することも出来、同板状体又は格子状の緑化基板１０の素材は、木製、金属製、プラスチック製、合成材等々、適宜の素材を選択しうるとともに、不織布で構成したものを採用することも出来る。
【００５４】
更に本発明の実施の第３形態について図５、図６に基づいて説明する。
図５は本実施の形態に係るバリケード装置の正面図、図６は図５の側面図である。
【００５５】
上記実施の第２形態が、緑化基板１０を頂部横バー４に対して吊り下げ、この緑化基板１０に緑化植物８を植え付けたプランター６を取り付けたものであるのに対し、本実施の形態では同緑化基板１０を上記頂部横バー４以外に、バリケード装置の脚部１に取り付けたものであり、その他の構成は上記実施の第２形態、更に実施の第１形態のものと実質的に同一となるので、先行して説明した実施の第１、第２形態と異なる部分を重点的に説明し、共通し同一の部分については図面中に上記実施の第２形態及び実施の第１形態と同一の符号を付して示し、上記実施の第２形態及び実施の第１形態の説明を援用することにより重複する説明は省略する。
【００５６】
すなわち、本実施の形態によれば、緑化基板２０をバリケード装置の全幅に亘るように大型化し、これを吊り下げ部材２０ａ及び脚材１ａ等により頂部横バー４と正面視左右の脚部１に支持し、頂部横バー４から脚部１に及ぶように配置して、プランター６を取り付ける面を大幅に増加したものである。
【００５７】
従って本実施の形態によれば、バリケード装置はその前面にわたって緑化植物８で覆うことも可能であると共に、広告・標識板等との配置関係も種々選択でき、個性あふれる広宣媒体として利用することも出来る。
【００５８】
また、図面ではバリケード装置の片面のみプランター６を配置し、同片面のみ緑化するように記載しているが、両面を共に緑化することは勿論可能であり、環境浄化の効果を一段と多く発揮することが出来るものである。
【００５９】
なお、上記実施の第１、第２形態をはじめ、本実施の形態でも緑化植物を植え付けた植栽容器としてプランター６を代表として説明しているが、同植栽容器はこれに限定されるものではなく、いわゆるポットで形成してもよく、更に変形し、緑化基板１０を含めて不織布で形成して同不織布に直接緑化植物を植生したものを採用することも出来る。
【００６０】
なおまた、バリケード装置としては、最も普及しているいわゆるＡ型バリケード装置を例にして説明したが、同バリケード装置は、脚部１を構成する際、上記に説明したように対の脚材１ａと補助バー３で構成することに代えて１本のパイプ状部材で構成し、この脚部１を正面視左右に配してパイプ状の頂部横バー４又は下部横バー５で連結した形態のいわゆる直立パイプバリケードで構成することも出来るし、また、上記Ａ型バリケードで補助バー３を取り除き、脚材１ａの下端側を開いたとき、側面視逆Ｖ字形となる形態とし、上記取り除いた補助バー３を対となる下部横バー５のほぼ中央位置に配して、この対の下部横バー５と補助バー３で平面視Ｈ字形の形態としたいわゆるパイプバリケード、若しくは同Ｈ字形の連結部となっている補助バー３を除去した他のパイプバリケード等で構成することも出来る。
【００６１】
以上、本発明を図示の実施の形態を中心に部分的な変形、応用を含めて説明したが、本発明はかかる実施の形態に限定されず、本発明の範囲内でその具体的構成に種々の変更を加えてもよいことは言うまでもない。
【図面の簡単な説明】
【００６２】
【図１】本発明の実施の第１形態に係るバリケード装置の正面図である。
【図２】図１の側面図である。
【図３】本発明の実施の第２形態に係るバリケード装置の正面図である。
【図４】図３の側面図である。
【図５】本発明の実施の第３形態に係るバリケード装置の正面図である。
【図６】図５の側面図である。
【符号の説明】
【００６３】
１        脚部
１ａ      脚材
２        枢支部
３        補助バー
３ａ      腕部材
４        頂部横バー
５        下部横バー
６        プランター
６ａ      係止部
７        広告・標識板
７ａ      吊り下げ部材
８        緑化植物
１０        緑化基板
１０ａ      吊り下げ部材
２０        緑化基板
２０ａ      吊り下げ部材
【図１】
2008025131.tif 000003
【図２】
2008025131.tif 000004
【図３】
2008025131.tif 000005
【図４】
2008025131.tif 000006
【図５】
2008025131.tif 000007
【図６】
2008025131.tif 000008